(57)【要約】【課題】針足の切断動作での音の発生を抑制することが可能なステープラを提供する。【解決手段】ステープラは、用紙を貫通した針の針足１２Ａをカットするカット部３０Ａを備え、カット部３０Ａは、針足１２Ａを切断する一対の切断部材３０１ＡＬ、３０１ＡＲと、切断部材３０１ＡＬ、３０１ＡＲを駆動する一対のリンク３０７ＡＬ、３０７ＡＲと、リンク３０７ＡＬ、３０７ＡＲを介して切断部材３０１ＡＬ、３０１ＡＲに負荷を掛ける負荷付与部材３１１ＡＬ、３１１ＡＲを備える。【選択図】図４
2018069632.tif 000002
【特許請求の範囲】
【請求項１】
針を打ち出して用紙に貫通させる針打出部と、
前記針打出部に取り付けられ、当該針打出部から打ち出される前の針を収納する針収納部と、
用紙を貫通した針の針足をカットするカット部と、
用紙を貫通した針の針足を折り曲げて用紙を綴じる綴じ部を備え、
前記カット部は、針足を切断する切断部材と、針足を切断する動作で前記切断部材に負荷を掛ける負荷付与部材を備えた
ことを特徴とするステープラ。
【請求項２】
前記カット部は、前記切断部材に駆動力を伝達する駆動力伝達部材を備え、
前記負荷付与部材は、前記駆動力伝達部材に係合して負荷を掛ける
ことを特徴とする請求項１に記載のステープラ。
【請求項３】
前記負荷付与部材は、前記切断部材に係合して負荷を掛ける
ことを特徴とする請求項１に記載のステープラ。
【請求項４】
請求項１に記載のステープラにおいて、
前記針打出部は、針クラウンの両端が一の方向に折り曲げられた針を打ち出して、一対の針足を用紙に貫通させ、
前記カット部は、前記切断部材が一対の針足の其々をカットする一対の切断部材として設けられ、
前記負荷付与部材は、前記一対の切断部材の少なくとも一方に、負荷を掛ける
ことを特徴とするステープラ。
【発明の詳細な説明】
【技術分野】
【０００１】
本発明は、複数枚の用紙をステープルと称す針で綴じるステープラに関する。
【背景技術】
【０００２】
後処理装置に使用される電動のステープラでは、想定される最大枚数の用紙を綴じることが可能な長さの針足を有した針を収納しておき、綴じ枚数が少ない場合等は、針足をカットして綴じる技術が提案されている。
【０００３】
このようなステープラでは、一対の切断部材の回転動作で、針足にせん断力を与えて切断する構成である（例えば、特許文献１参照）。また、単一の切断部材の進退動作により、針足にせん断力を与えて切断する構成もある（例えば、特許文献２参照）。
【先行技術文献】
【特許文献】
【０００４】
【特許文献１】特開２００５−１１９２４６号公報
【特許文献２】特開昭６３−９９９０４号公報
【発明の概要】
【発明が解決しようとする課題】
【０００５】
後処理装置に使用される電動のステープラでは、近年、静音性が求められている。しかし、従来のステープラでは、針足の切断が終了するタイミングでせん断力による負荷が解放されると、急激な負荷変動が発生する。可動する部品には寸法公差を持たせてあり、この公差に伴う部品間のがたつきにより、負荷変動による切断部材の急激な回転、反力を受けて変形したたわみやねじれ等の解放により振動が発生し、振動に伴う音が発生する。
【０００６】
本発明は、そのような課題を解決するためなされたもので、針足の切断動作での音の発生を抑制することが可能なステープラを提供することを目的とする。
【課題を解決するための手段】
【０００７】
上述した課題を解決するため、本発明は、針を打ち出して用紙に貫通させる針打出部と、針打出部に取り付けられ、針打出部から打ち出される前の針を収納する針収納部と、用紙を貫通した針の針足をカットするカット部と、用紙を貫通した針の針足を折り曲げて用紙を綴じる綴じ部を備え、カット部は、針足を切断する切断部材と、針足を切断する動作で切断部材に負荷を掛ける負荷付与部材を備えたステープラである。
【０００８】
また、針で用紙を綴じるステープラを備えて、画像の形成された用紙に後処理を施す後処理装置であって、ステープラは、針を打ち出して用紙に貫通させる針打出部と、針打出部に取り付けられ、針打出部から打ち出される前の針を収納する針収納部と、用紙を貫通した針の針足をカットするカット部と、用紙を貫通した針の針足を折り曲げて用紙を綴じる綴じ部を備え、カット部は、針足を切断する切断部材と、針足を切断する動作で切断部材に負荷を掛ける負荷付与部材を備えた後処理装置に好適なステープラである。
【０００９】
更に、用紙に画像を形成して出力する画像形成装置と、画像形成装置に接続されて用紙に後処理を施す上述した後処理装置を備えた画像形成システムに好適なステープラである。
【００１０】
本発明では、用紙を貫通した針の針足は、切断部材に負荷を掛けた状態として、切断部材の動作で切断される。針足の切断が終了すると、切断部材に掛かる負荷が変動するが、負荷付与部材で負荷を掛けることで、急激な負荷の変動が抑制される。
【発明の効果】
【００１１】
本発明では、針足の切断時の急激な負荷の変動を抑制することで、負荷の変動に伴う部品の振動を抑制し、振動に伴う音の発生を抑制することができる。
【図面の簡単な説明】
【００１２】
【図１】本実施の形態のステープラの一例を示す側面図である。
【図２】本実施の形態のステープラの一例を示す要部側面図である。
【図３】針で用紙を綴じる動作の一例を示す説明図である。
【図４】本実施の形態のカット部の一例を示す構成図である。
【図５】本実施の形態の画像形成システムの概要を示す構成図である。
【図６】本実施の形態の後処理装置の一例を示す構成図である。
【図７】本実施の形態のカット部の動作の一例を示す説明図である。
【図８】本実施の形態のカット部の変形例を示す構成図である。
【図９】本実施の形態のカット部の他の変形例を示す構成図である。
【発明を実施するための形態】
【００１３】
以下、図面を参照して、本発明のステープラ、ステープラを備えた後処理措置、後処理装置を備えた画像形成システムの実施の形態について説明する。
【００１４】
＜本実施の形態のステープラの構成例＞
図１は、本実施の形態のステープラの一例を示す側面図、図２は、本実施の形態のステープラの一例を示す要部側面図である。また、図３は、針で用紙を綴じる動作の一例を示す説明図である。
【００１５】
まず、図３を参照して、ステープラ１Ａで用紙Ｐを閉じる動作について説明する。ステープルと称す針１０Ａは、図３（ａ）に示すように、針クラウン１１Ａの両端が一の方向に折り曲げられて、針足１２Ａが形成される。すなわち、針１０Ａは、略コ字形状に成形される。
【００１６】
針１０Ａは、針クラウン１１Ａが押圧されることで、図３（ｂ）に示すように、針足１２Ａが用紙Ｐを貫通し、針クラウン１１Ａが用紙Ｐに接する。針足１２Ａが用紙Ｐを貫通した針１０Ａは、図３（ｃ）に示すように、針足１２Ａを折り曲げた際に互いに重なり合う針足１２Ａの余剰分がカット針１３Ａとしてカットされる。
【００１７】
針足１２Ａが所定の長さにカットされた針１０Ａは、図３（ｄ）に示すように、用紙Ｐを貫通した針足１２Ａが折り曲げられて、用紙Ｐが針１０Ａで綴じられる。
【００１８】
次に、各図を参照して、本実施の形態のステープラ１Ａの構成について説明する。ステープラ１Ａは、針１０Ａの供給及び打ち出しが行われる針打出ユニット２Ａと、針打出ユニット２Ａとの協働で、針１０Ａの針足１２Ａのカット及び針足１２Ａの折り曲げを行って、用紙Ｐを針１０Ａで綴じる綴じユニット３Ａを備える。また、ステープラ１Ａは、針打出ユニット２Ａと綴じユニット３Ａとの間に、打出ユニット２Ａと綴じユニット３Ａとで用紙Ｐの束を挟持する用紙挟持部４Ａを備える。
【００１９】
以下の説明では、用紙挟持部４Ａが設けられる側をステープラ１Ａの前側とし、用紙挟持部４Ａが設けられる側と反対側を後側とする。また、綴じユニット３Ａが設けられる側をステープラ１Ａの上側とし、針打出ユニット２Ａが設けられる側をステープラ１Ａの下側とする。
【００２０】
針打出ユニット２Ａは針打出部の一例で、針１０Ａが収納された針収納部である針カートリッジ１００Ａが着脱可能に取り付けられる。針打出ユニット２Ａは、針カートリッジ１００Ａから針１０Ａを繰り出す繰り出し部２１Ａと、針１０Ａを用紙Ｐに打ち込む打出部２２Ａを備える。
【００２１】
針１０Ａは、本例では、直線状の複数本の針１０Ａが接着により一体とされた針シートとして提供され、複数の針シートが積載されて針カートリッジ１００Ａに収納される。打出部２２Ａは、針シートの搬送方向の最先端の１本の針１０Ａを打ち出す動作に連動して、２本目もしくは３本目の針１０Ａを、図３（ａ）等に示すように、略コ字形状に成形する。
【００２２】
綴じユニット３Ａは綴じ部の一例で、用紙Ｐを貫通した針１０Ａの針足１２Ａを、所定の長さでカットするカット部３０Ａと、用紙Ｐを貫通し、所定の長さにカットされた針１０Ａの針足１２Ａを、用紙Ｐの方向へ折り曲げるクリンチャ部３１Ａを備える。
【００２３】
用紙挟持部４Ａは、針１０Ａによる用紙Ｐの綴じ位置Ｐｉが、打出部２２Ａとクリンチャ部３１Ａとの間に位置できるようにするため、ステープラ１Ａの前側と、左右の両側の３方向が開口した形状である。
【００２４】
用紙挟持部４Ａは、針打出ユニット２Ａに第１の挟持部４０Ａを備え、綴じユニット３Ａに、第１の挟持部４０Ａと対向して第２の挟持部４１Ａを備える。ステープラ１Ａは、軸３２Ａを支点とした綴じユニット３Ａの回転動作で、綴じユニット３Ａが針打出ユニット２Ａに近づく方向に移動することで、第１の挟持部４０Ａと第２の挟持部４１Ａの間に用紙Ｐが挟持される。
【００２５】
用紙挟持部４Ａは、矢印ａで示す用紙Ｐの挿入方向の位置を規制する用紙位置規制部４２Ａを備える。用紙位置規制部４２Ａは、矢印ａで示す用紙Ｐの挿入方向に対して、用紙挟持部４Ａの奥側で第１の挟持部４０Ａと第２の挟持部４１Ａとの間に突出する。これにより、用紙挟持部４Ａに挿入された用紙Ｐが、用紙位置規制部４２Ａより奥側に挿入されることが規制される。
【００２６】
ステープラ１Ａは、針打出ユニット２Ａと綴じユニット３Ａを開閉すると共に、針打出ユニット２Ａの繰り出し部２１Ａ及び打出部２２Ａと、綴じユニット３Ａのカット部３０Ａ及びクリンチャ部３１Ａを駆動する駆動部５Ａを備える。
【００２７】
駆動部５Ａは、針打出ユニット２Ａに設けられたモータ５０Ａに駆動されるカム５１Ａと、カム５１Ａの動作を各部に伝達する図示しないリンク等を備える。
【００２８】
ステープラ１Ａは、カム５１Ａの動作がリンク等を介して綴じユニット３Ａに伝達されることで、針打出ユニット２Ａと綴じユニット３Ａが離接する方向に相対移動する。本例は、軸３２Ａを支点とした回転動作で、綴じユニット３Ａが針打出ユニット２Ａに対して離接する方向に移動する。
【００２９】
ステープラ１Ａは、カム５１Ａが一方向に回転する動作で、綴じユニット３Ａが針打出ユニット２Ａに近づく方向に移動して、所定のタイミングで用紙Ｐを用紙挟持部４Ａで挟持する。また、ステープラ１Ａは、カム５１Ａが更に一方向に回転する動作で、所定のタイミングで綴じユニット３Ａが針打出ユニット２Ａから離れる方向に移動して、用紙挟持部４Ａでの用紙Ｐの挟持を解除する。
【００３０】
また、ステープラ１Ａは、カム５１Ａの動作がリンク等を介して繰り出し部２１Ａ及び打出部２２Ａに伝達され、カム５１Ａが１方向に回転する動作で、針カートリッジ１００Ａに収納された針１０Ａを繰り出し部２１Ａにより繰り出し、繰り出された針１０Ａの最先端の１本を、用紙挟持部４Ａで挟持された用紙Ｐに打出部２２Ａで打ち込んで、針１０Ａの針足１２Ａを用紙Ｐに貫通させる。また、２本目もしくは３本目の針１０Ａを、図３（ａ）等に示すように、略コ字形状に成形する。
【００３１】
更に、ステープラ１Ａは、カム５１Ａの動作がリンク等を介してカット部３０Ａ及びクリンチャ部３１Ａに伝達され、カム５１Ａが一方向に回転する動作で、用紙Ｐを貫通した針１０Ａの針足１２Ａをカット部３０Ａで所定の長さでカットし、所定の長さにカットされた針１０Ａの針足１２Ａをクリンチャ部３１Ａで折り曲げる。
【００３２】
ステープラ１Ａは、カット部３０Ａでカットされたカット針１３Ａを収納するカット針収納部６Ａを備える。カット針収納部６Ａは、用紙挟持部４Ａが設けられた側と反対のステープラ１Ａの後側に、ステープラ１Ａに対して着脱可能に取り付けられる。
【００３３】
図４は、本実施の形態のカット部の一例を示す構成図であり、次に、本実施の形態のカット部３０Ａについて、各図を参照して説明する。
【００３４】
カット部３０Ａは、用紙Ｐを貫通した針足１２Ａの導入部３００ＡＬ、３００ＡＲと、導入部３００ＡＬ、３００ＡＲに導入された針足１２Ａを切断する一対の切断部材３０１ＡＬ、３０１ＡＲを備える。
【００３５】
カット部３０Ａは、支持板３０３Ａに、針１０Ａの針クラウン１１Ａの幅より狭い所定の幅で突出する凸部３０４Ａを備え、凸部３０４Ａの一方の側面に受け部３０４ＡＬを備え、他方の側面に受け部３０４ＡＲを備える。
【００３６】
一方の切断部材３０１ＡＬは、軸３０６ＡＬを支点として回転可能に支持板３０３Ａの上面に取り付けられ、一方の受け部３０４ＡＬと対向する前端に刃部３０５ＡＬを備える。
【００３７】
他方の切断部材３０１ＡＲは、軸３０６ＡＲを支点として回転可能に支持板３０３Ａの上面に取り付けられ、他方の受け部３０４ＡＲと対向する前端に刃部３０５ＡＲを備える。
【００３８】
ステープラ１Ａでは、針１０Ａの一対の針足１２Ａが、一対の切断部材３０１ＡＬ、３０１ＡＲがそれぞれ針足１２Ａに対して外側から内側へと移動する動作によりせん断力を受けて切断される。これにより、せん断により発生する所謂返しや、返り、バリ、バリ返し等と称す突出した部位が、一対の針足１２Ａのそれぞれ内側に形成される。このように切断された針足１２Ａを、クリンチャ部３１Ａで内側に向けて折り曲げることで、突出した部位が用紙Ｐ側を向く。
【００３９】
切断部材３０１ＡＬが待機位置に移動している状態では、支持板３０３Ａに形成された一方の受け部３０４ＡＬと、受け部３０４ＡＬと対向する一方の切断部材３０１ＡＬの刃部３０５ＡＬとの間に、針足１２Ａが通る溝部が形成される。導入部３００ＡＬは、この受け部３０４ＡＬと刃部３０５ＡＬとの間の溝部で構成される。
【００４０】
同様に、切断部材３０１ＡＲが待機位置に移動している状態では、支持板３０３Ａに形成された他方の受け部３０４ＡＲと、受け部３０４ＡＲと対向する他方の切断部材３０１ＡＲの刃部３０５ＡＲとの間に、針足１２Ａが通る溝部が形成される。導入部３００ＡＲは、この受け部３０４ＡＲと刃部３０５ＡＲとの間の溝部で構成される。
【００４１】
カット部３０Ａは、一対の切断部材３０１ＡＬ、３０１ＡＲを駆動する一対のリンク３０７ＡＬ、３０７ＡＲを備える。リンク３０７ＡＬは駆動力伝達部材の一例で、軸３０８ＡＬを支点として回転可能に、ステープラ１Ａの図示しない筐体に取り付けられる。リンク３０７ＡＬは、切断部材３０１ＡＬに設けられる被係合部３０９ＡＬと係合する係合部３１０ＡＬを、軸３０８ＡＬを支点とした回転動作で変位する一方の端部側に備える。
【００４２】
リンク３０７ＡＲは駆動力伝達部材の一例で、軸３０８ＡＲを支点として回転可能に、ステープラ１Ａの図示しない筐体に取り付けられる。リンク３０７ＡＲは、切断部材３０１ＡＲに設けられる被係合部３０９ＡＲと係合する係合部３１０ＡＲを、軸３０８ＡＲを支点とした回転動作で変位する一方の端部側に備える。
【００４３】
切断部材３０１ＡＬは、図１で示すモータ５０Ａによりリンク３０７ＡＬが駆動され、軸３０６ＡＬを支点とした回転動作で、刃部３０５ＡＬが受け部３０４ＡＬに対して近づく方向及び離れる方向に移動する。
【００４４】
切断部材３０１ＡＬは、リンク３０７ＡＬが矢印ｖ１方向へ回転することにより、刃部３０５ＡＬが受け部３０４ＡＬに対して近づく方向への回転動作で切断終了位置に移動し、リンク３０７ＡＬが矢印ｖ２方向へ回転することにより、刃部３０５ＡＬが受け部３０４ＡＬに対して離れる方向への回転動作で待機位置に移動する。
【００４５】
切断部材３０１ＡＲは、図１で示すモータ５０Ａによりリンク３０７ＡＬと連動してリンク３０７ＡＲが駆動され、軸３０６ＡＲを支点とした回転動作で、刃部３０５ＡＲが受け部３０４ＡＲに対して近づく方向及び離れる方向に移動する。
【００４６】
切断部材３０１ＡＲは、リンク３０７ＡＲが矢印ｖ１方向へ回転することにより、刃部３０５ＡＲが受け部３０４ＡＲに対して近づく方向への回転動作で切断終了位置に移動し、リンク３０７ＡＲが矢印ｖ２方向へ回転することにより、刃部３０５ＡＲが受け部３０４ＡＲに対して離れる方向への回転動作で待機位置に移動する。
【００４７】
カット部３０Ａは、切断部材３０１ＡＬ、３０１ＡＲに負荷を与える一対の負荷付与部材３１１ＡＬ、３１１ＡＲを備える。負荷付与部材３１１ＡＬ、３１１ＡＲは、本例では引っ張りコイルばねで構成される。
【００４８】
リンク３０７ＡＬは、係合部３１０ＡＬより先端側に係止部３１２ＡＬを備える。負荷付与部材３１１ＡＬは、引っ張りコイルばねの一端がリンク３０７ＡＬの係止部３１２ＡＬに係止され、他端がステープラ１Ａの図示しない筐体に設けた係止軸３１３ＡＬに係止される。
【００４９】
リンク３０７ＡＲは、係合部３１０ＡＲより先端側に係止部３１２ＡＲを備える。負荷付与部材３１１ＡＲは、引っ張りコイルばねの一端がリンク３０７ＡＲの係止部３１２ＡＲに係止され、他端がステープラ１Ａの図示しない筐体に設けた係止軸３１３ＡＲに係止される。
【００５０】
カット部３０Ａは、切断部材３０１ＡＬが待機位置にある状態で、負荷付与部材３１１ＡＬが所定量伸ばされて、リンク３０７ＡＬを介して切断部材３０１ＡＬに負荷がかけられた状態である。また、切断部材３０１ＡＲが待機位置にある状態で、負荷付与部材３１１ＡＲが所定量伸ばされて、リンク３０７ＡＲを介して切断部材３０１ＡＲに負荷がかけられた状態である。
【００５１】
カット部３０Ａは、切断部材３０１ＡＬを待機位置から切断終了位置に移動させて、針足１２Ａを切断するため、リンク３０７ＡＬが矢印ｖ１方向へ回転すると、負荷付与部材３１１ＡＬが伸ばされる。これにより、リンク３０７ＡＬ及び切断部材３０１ＡＬを切断終了位置へ移動させる力と反対向きの負荷が、負荷付与部材３１１ＡＬによりリンク３０７ＡＬ及び切断部材３０１ＡＬに掛けられる。
【００５２】
また、カット部３０Ａは、切断部材３０１ＡＲを待機位置から切断終了位置に移動させて、針足１２Ａを切断するため、リンク３０７ＡＲが矢印ｖ１方向へ回転すると、負荷付与部材３１１ＡＲが伸ばされる。これにより、リンク３０７ＡＲ及び切断部材３０１ＡＲを切断終了位置へ移動させる力と反対向きの負荷が、負荷付与部材３１１ＡＲによりリンク３０７ＡＲ及び切断部材３０１ＡＲに掛けられる。
【００５３】
＜画像形成システム及び後処理装置の構成例＞
図５は、本実施の形態の画像形成システムの概要を示す構成図、図６は、本実施の形態の後処理装置の一例を示す構成図である。
【００５４】
本実施の形態の画像形成システム５００Ａは、画像形成装置５０１Ａと、少なくとも１種類の処理が可能な後処理装置５０２Ａを備える。画像形成装置５０１Ａは、装置内または外部の図示しない給紙部から繰り出した用紙Ｐに画像を形成して出力する。画像形成装置５０１Ａは、本例では、走査露光による静電潜像の形成、トナーによる静電潜像の現像、トナーの用紙への転写及び定着により用紙Ｐに画像を形成する。
【００５５】
本実施の形態の後処理装置５０２Ａは、綴じ部５０３Ａにステープラ１Ａを備える。綴じ部５０３Ａは、画像形成装置５０１Ａから出力された用紙Ｐを積載する積載部５０４Ａを備える。
【００５６】
図６は、後処理装置５０２Ａの綴じ部５０３Ａを上側から見た図である。ステープラ１Ａは、図６に示すように、積載部５０４Ａに積載された用紙Ｐの一方の角部を綴じる第１の位置Ｐｐ１、用紙Ｐの辺ＰＬに沿った任意の箇所を綴じる第２の位置Ｐｐ２、用紙Ｐの他方の角部を綴じる第３の位置Ｐｐ３に、図示しない移動部により移動する。本例では、第１の位置Ｐｐ１は、ホームポジション（ＨＰ）である基準位置を兼ねる。カット針収納部６Ａの着脱は、本例では、第１の位置Ｐｐ１にステープラ１Ａを移動させ、扉５０５Ａを開くことで行われる。
【００５７】
＜本実施の形態のステープラの作用効果例＞
図７（ａ）、図７（ｂ）及び図７（ｃ）は、本実施の形態のカット部の動作の一例を示す説明図で、以下に、各図を参照して本実施の形態のステープラの動作について説明する。
【００５８】
ステープラ１Ａで用紙Ｐを綴じる動作では、図２に示すように、針打出ユニット２Ａの第１の挟持部４０Ａと、綴じユニット３Ａの第２の挟持部４１Ａとの間に用紙Ｐが挟持され、図１に示す針打出ユニット２Ａの打出部２２Ａで、図示しない針シートから成型された１本の針１０Ａが分離されて打ち出される。これにより、針１０Ａは、切断前の針足１２Ａが用紙Ｐを貫通する。
【００５９】
用紙Ｐを貫通した一方の針足１２Ａの余剰部分は、図７（ａ）に示すように、カット部３０Ａの導入部３００ＡＬに導入され、他方の針足１２Ａの余剰部分は、導入部３００ＡＲに導入される。
【００６０】
針１０Ａを打ち出して用紙Ｐを貫通させる動作が終了すると、モータ５０Ａの駆動でリンク３０７ＡＬを矢印ｖ１方向へ回転させることで、リンク３０７ＡＬの係合部３１０ＡＬと、切断部材３０１ＡＬの被係合部３０９ＡＬとの係合により、軸３０６ＡＬを支点とした矢印ｗ１方向への回転動作で、切断部材３０１ＡＬを待機位置から切断終了位置に移動させる。
【００６１】
また、モータ５０Ａの駆動でリンク３０７ＡＲを矢印ｖ１方向へ回転させることで、リンク３０７ＡＲの係合部３１０ＡＲと、切断部材３０１ＡＲの被係合部３０９ＡＲとの係合により、軸３０６ＡＲを支点とした矢印ｗ１方向への回転動作で、切断部材３０１ＡＲを待機位置から切断終了位置に移動させる。
【００６２】
リンク３０７ＡＬが矢印ｖ１方向へ回転すると、図７（ｂ）に示すように、引っ張りコイルばねである負荷付与部材３１１ＡＬが伸ばされる。これにより、切断部材３０１ＡＬ及びリンク３０７ＡＬを切断終了位置へ移動させる力と反対向きの負荷が、負荷付与部材３１１ＡＬにより切断部材３０１ＡＬ及びリンク３０７ＡＬに掛けられる。
【００６３】
また、切断部材３０１ＡＬが待機位置から切断終了位置へ移動する動作で、導入部３００ＡＬに入っている一方の針足１２Ａが、切断部材３０１ＡＬの刃部３０５ＡＬと受け部３０４ＡＬとの間に挟まれる。これにより、針足１２Ａを切断しようとするせん断力の反力による負荷が、切断部材３０１ＡＬ及びリンク３０７ＡＬに掛けられる。負荷付与部材３１１ＡＬによる負荷と、せん断力の反力による負荷は、同じ方向の力である。
【００６４】
リンク３０７ＡＲが矢印ｖ１方向へ回転すると、図７（ｂ）に示すように、引っ張りコイルばねである負荷付与部材３１１ＡＲが伸ばされる。これにより、切断部材３０１ＡＲ及びリンク３０７ＡＲを切断終了位置へ移動させる力と反対向きの負荷が、負荷付与部材３１１ＡＲによりリンク３０７ＡＲ及び切断部材３０１ＡＲに掛けられる。
【００６５】
また、切断部材３０１ＡＲが待機位置から切断終了位置へ移動する動作で、導入部３００ＡＲに入っている一方の針足１２Ａが、切断部材３０１ＡＲの刃部３０５ＡＲと受け部３０４ＡＲとの間に挟まれる。これにより、針足１２Ａを切断しようとするせん断力の反力による負荷が、切断部材３０１ＡＲ及びリンク３０７ＡＲに掛けられる。負荷付与部材３１１ＡＲによる負荷と、せん断力の反力による負荷は、同じ方向の力である。
【００６６】
図７（ｃ）に示すように、せん断力を受けて針足１２Ａが切断されると、せん断力の反力による負荷が、切断部材３０１ＡＬ及びリンク３０７ＡＬに掛からなくなる。但し、負荷付与部材３１１ＡＬによる負荷は、切断部材３０１ＡＬ及びリンク３０７ＡＬに掛かる。
【００６７】
これにより、せん断力による負荷が解放されても、急激な負荷変動が抑制され、切断部材３０１ＡＬ及びリンク３０７ＡＬの急激な回転や、反力を受けて変形したたわみやねじれ等の形状の急激な復元が抑制される。従って、切断部材３０１ＡＬ及びリンク３０７ＡＬの急激な回転や、反力を受けて変形した形状の急激な復元に伴う振動の発生が抑制され、振動に伴う音の発生が抑制される。
【００６８】
また、図７（ｃ）に示すように、せん断力を受けて針足１２Ａが切断されると、せん断力の反力による負荷が、切断部材３０１ＡＲ及びリンク３０７ＡＲに掛からなくなる。但し、負荷付与部材３１１ＡＲによる負荷は、切断部材３０１ＡＲ及びリンク３０７ＡＲに掛かる。
【００６９】
これにより、せん断力による負荷が解放されても、急激な負荷変動が抑制され、切断部材３０１ＡＲ及びリンク３０７ＡＲの急激な回転や、反力を受けて変形した形状の急激な復元が抑制される。従って、切断部材３０１ＡＲ及びリンク３０７ＡＲの急激な回転や、反力を受けて変形した形状の急激な復元に伴う音の発生が抑制される。
【００７０】
＜本実施の形態のステープラの変形例＞
図８は、本実施の形態のカット部の変形例を示す構成図である。変形例のカット部３０Ｂでは、引っ張りコイルばねによる負荷付与部材に変えて、ゴムチューブ等の弾性部材による負荷付与部材３１１ＢＬ、３１１ＢＲを備える。
【００７１】
負荷付与部材３１１ＢＬは、リンク３０７ＡＬの先端に設けた係止部３１２ＡＬと、図示しない筐体に設けた支持部３１４Ｂの間に入れられる。負荷付与部材３１１ＢＲは、リンク３０７ＡＲの先端に設けた係止部３１２ＡＲと、図示しない筐体に設けた支持部３１４Ｂの間に入れられる。
【００７２】
カット部３０Ｂは、切断部材３０１ＡＬが待機位置にある状態で、負荷付与部材３１１ＢＬが所定量押し潰されて、リンク３０７ＡＬを介して切断部材３０１ＡＬに負荷がかけられた状態である。また、切断部材３０１ＡＲが待機位置にある状態で、負荷付与部材３１１ＢＲが所定量押し潰されて、リンク３０７ＡＲを介して切断部材３０１ＡＲに負荷がかけられた状態である。
【００７３】
針１０Ａを打ち出して用紙Ｐを貫通させる動作が終了すると、モータ５０Ａの駆動でリンク３０７ＡＬを矢印ｖ１方向へ回転させることで、切断部材３０１ＡＬを矢印ｗ１方向に回転させて待機位置から切断終了位置に移動させる。また、モータ５０Ａの駆動でリンク３０７ＡＲを矢印ｖ１方向へ回転させることで、切断部材３０１ＡＲを矢印ｗ１方向に回転させて待機位置から切断終了位置に移動させる。
【００７４】
リンク３０７ＡＬが矢印ｖ１方向へ回転すると、ゴムチューブである負荷付与部材３１１ＢＬが押し潰される。この押し潰しの反力により、切断部材３０１ＡＬ及びリンク３０７ＡＬを切断終了位置へ移動させる力と反対向きの負荷が、負荷付与部材３１１ＢＬによりリンク３０７ＡＬ及び切断部材３０１ＡＬに掛けられる。また、針足１２Ａを切断しようとするせん断力の反力による負荷が、切断部材３０１ＡＬ及びリンク３０７ＡＬに掛けられる。
【００７５】
リンク３０７ＡＲが矢印ｖ１方向へ回転すると、ゴムチューブである負荷付与部材３１１ＢＲが押し潰される。この押し潰しの反力により、切断部材３０１ＡＲ及びリンク３０７ＡＲを切断終了位置へ移動させる力と反対向きの負荷が、負荷付与部材３１１ＡＲによりリンク３０７ＡＲ及び切断部材３０１ＡＲに掛けられる。また、針足１２Ａを切断しようとするせん断力の反力による負荷が、切断部材３０１ＡＲ及びリンク３０７ＡＲに掛けられる。
【００７６】
せん断力を受けて針足１２Ａが切断されると、せん断力の反力による負荷が、切断部材３０１ＡＬ及びリンク３０７ＡＬに掛からなくなる。但し、負荷付与部材３１１ＢＬによる負荷は、リンク３０７ＡＬ及び切断部材３０１ＡＬに掛かる。
【００７７】
これにより、せん断力による負荷が解放されても、急激な負荷変動が抑制され、切断部材３０１ＡＬ及びリンク３０７ＡＬの急激な回転や、反力を受けて変形した形状の急激な復元が抑制される。従って、切断部材３０１ＡＬ及びリンク３０７ＡＬの急激な回転や、反力を受けて変形した形状の急激な復元に伴う音の発生が抑制される。
【００７８】
また、せん断力を受けて針足１２Ａが切断されると、せん断力の反力による負荷が、切断部材３０１ＡＲ及びリンク３０７ＡＲに掛からなくなる。但し、負荷付与部材３１１ＢＲによる負荷は、切断部材３０１ＡＲ及びリンク３０７ＡＲに掛かる。
【００７９】
これにより、せん断力による負荷が解放されても、急激な負荷変動が抑制され、切断部材３０１ＡＲ及びリンク３０７ＡＲの急激な回転や、反力を受けて変形した形状の急激な復元が抑制される。従って、切断部材３０１ＡＲ及びリンク３０７ＡＲの急激な回転や、反力を受けて変形した形状の急激な復元に伴う音の発生が抑制される。
【００８０】
図９は、本実施の形態のカット部の他の変形例を示す構成図である。他の変形例のカット部３０Ｃでは、引っ張りコイルばねの伸長を利用した負荷付与部材や、ゴムチューブ等の弾性部材の圧縮変形を利用した負荷付与部材に変えて、圧縮コイルばねによる負荷付与部材３１１ＣＬ、３１１ＣＲを備える。
【００８１】
負荷付与部材３１１ＣＬは、切断部材３０１ＡＬの軸３０６ＡＬに取り付けられ、切断部材３０１ＡＬを支持板３０３Ａへ面方向に押し付ける。負荷付与部材３１１ＣＲは、切断部材３０１ＡＲの軸３０６ＡＲに取り付けられ、切断部材３０１ＡＲを支持板３０３Ａへ面方向に押し付ける。
【００８２】
カット部３０Ｃは、負荷付与部材３１１ＣＬが所定量押し潰されて撓み、切断部材３０１ＡＬの位置によらず負荷がかけられた状態である。また、負荷付与部材３１１ＣＲが所定量押し潰されて撓み、切断部材３０１ＡＲの位置によらず負荷がかけられた状態である。
【００８３】
針１０Ａを打ち出して用紙Ｐを貫通させる動作が終了すると、モータ５０Ａの駆動でリンク３０７ＡＬを矢印ｖ１方向へ回転させることで、切断部材３０１ＡＬを待機位置から切断終了位置に移動させる。また、モータ５０Ａの駆動でリンク３０７ＡＲを矢印ｖ１方向へ回転させることで、切断部材３０１ＡＲを待機位置から切断終了位置に移動させる。
【００８４】
リンク３０７ＡＬが矢印ｖ１方向へ回転することで、切断部材３０１ＡＬが矢印ｗ１方向に回転すると、針足１２Ａを切断しようとするせん断力の反力による負荷が、切断部材３０１ＡＬ及びリンク３０７ＡＬに掛けられる。また、切断部材３０１ＡＬが矢印ｗ１方向に回転する動作中、負荷付与部材３１１ＣＬにより常時負荷が掛かる。
【００８５】
リンク３０７ＡＲが矢印ｖ１方向へ回転することで、切断部材３０１ＡＲが矢印ｗ１方向に回転すると、針足１２Ａを切断しようとするせん断力の反力による負荷が、切断部材３０１ＡＲ及びリンク３０７ＡＲに掛けられる。また、切断部材３０１ＡＲが矢印ｗ１方向に回転する動作中、負荷付与部材３１１ＣＲにより常時負荷が掛かる。
【００８６】
せん断力を受けて針足１２Ａが切断されると、せん断力の反力による負荷が、切断部材３０１ＡＬ及びリンク３０７ＡＬに掛からなくなる。但し、負荷付与部材３１１ＣＬによる負荷は、切断部材３０１ＡＬ及びリンク３０７ＡＬに掛かる。
【００８７】
これにより、せん断力による負荷が解放されても、急激な負荷変動が抑制され、切断部材３０１ＡＬ及びリンク３０７ＡＬの急激な回転や、反力を受けて変形した形状の急激な復元が抑制される。従って、切断部材３０１ＡＬ及びリンク３０７ＡＬの急激な回転や、反力を受けて変形した形状の急激な復元に伴う音の発生が抑制される。
【００８８】
また、せん断力を受けて針足１２Ａが切断されると、せん断力の反力による負荷が、切断部材３０１ＡＲ及びリンク３０７ＡＲに掛からなくなる。但し、負荷付与部材３１１ＣＲによる負荷は、切断部材３０１ＡＲ及びリンク３０７ＡＲに掛かる。
【００８９】
これにより、せん断力による負荷が解放されても、急激な負荷変動が抑制され、切断部材３０１ＡＲ及びリンク３０７ＡＲの急激な回転や、反力を受けて変形した形状の急激な復元が抑制される。従って、切断部材３０１ＡＲ及びリンク３０７ＡＲの急激な回転や、反力を受けて変形した形状の急激な復元に伴う音の発生が抑制される。
【００９０】
なお、負荷付与部材としては、一対の切断部材の間に、切断部材が待機位置から切断終了位置へ移動することで押されるゴム等の弾性部材を備える構成としても良い。また、一対の切断部材の間に、切断部材が待機位置から切断終了位置へ移動することで押されるバネ等の付勢部材を備える構成としても良い。更に、一対の切断部材を、切断終了位置から待機位置へ移動させる方向に力を加えるバネ等の付勢部材を備える構成としても良い。
【符号の説明】
【００９１】
１・・・ステープラ、１０Ａ・・・針、１２Ａ・・・針足、２Ａ・・・針打出ユニット、２１Ａ・・・繰り出し部、２２Ａ・・・打出部、３Ａ・・・綴じユニット、３０Ａ・・・カット部、３１Ａ・・・クリンチャ部、３２Ａ・・・軸、４Ａ・・・用紙挟持部、４０Ａ・・・第１の挟持部、４１Ａ・・・第２の挟持部、４２Ａ・・・用紙位置規制部、５Ａ・・・駆動部、６Ａ・・・カット針収納部、１００Ａ・・・針カートリッジ、３００ＡＬ、３００ＡＲ・・・導入部、３０１ＡＬ、３０１ＡＲ・・・切断部材、３０２Ａ・・・排出路、３０３Ａ・・・支持板、３０４Ａ・・・凸部、３０４ＡＬ、３０４ＡＲ・・・受け部、３０５ＡＬ、３０５ＡＲ・・・刃部、３０６ＡＬ、３０６ＡＲ・・・軸、３０７ＡＬ、３０７ＡＲ・・・リンク、３０８ＡＬ、３０８ＡＲ・・・・・・軸、３０９ＡＬ、３０９ＡＲ・・・被係合部、３１０ＡＬ、３１０ＡＲ・・・係合部、３１１ＡＬ、３１１ＡＲ・・・負荷付与部材、３１２ＡＬ、３１２ＡＲ・・・係止部、３１３ＡＬ、３１３ＡＲ・・・係止軸
【図１】
2018069632.tif 000003
【図２】
2018069632.tif 000004
【図３】
2018069632.tif 000005
【図４】
2018069632.tif 000006
【図５】
2018069632.tif 000007
【図６】
2018069632.tif 000008
【図７】
2018069632.tif 000009
【図８】
2018069632.tif 000010
【図９】
2018069632.tif 000011